(57)【特許請求の範囲】
【請求項１】
袋状に形成されており、該袋状を構成する部位として、
底部、
前記底部の一端部に配置される背部、
前記背部のうち前記底部が配置される側とは反対側の端部と前記底部の他端部とを渡して配置され、少なくとも一部に光透過性を有する部材を具備してなる天部、及び、
前記底部と前記背部と前記天部とに囲まれる開口部分を塞ぐように配置される側部、を有し、
前記側部には前記袋状の内外を通じる挿入口が設けられ、
前記底部、前記背部、前記天部及び前記側部は着脱が規制されて接続されており、
前記底部、前記背部、前記天部及び前記側部の少なくとも１つは、前記底部と前記天部とが重なるように任意の位置で折り畳み可能に可撓性を有しており、
前記挿入口は前記袋状の折り畳みの姿勢で潰れて閉じており、前記袋状の展開の姿勢で開口している、歯科用防塵袋。
【請求項２】
前記底部、前記背部、前記天部及び前記側部の全部が光を透過可能な材料で形成されている請求項１に記載の歯科用防塵袋。
【請求項３】
前記底部、前記背部、前記天部及び前記側部の全部が任意の位置で折り曲げ可能に可撓性を有している請求項１又は２に記載の歯科用防塵袋。
【請求項４】
前記挿入口は前記底部と前記天部との接続部側に寄せられて設けられている請求項１乃至３のいずれか１項に記載の歯科用防塵袋。
【請求項５】
前記袋状の内側にはシートが内包されている請求項１乃至４のいずれか１項に記載の歯科用防塵袋。
【発明の詳細な説明】
【技術分野】
【０００１】
本発明は、義歯床、インレー、及びクラウン等の歯科補綴物の研磨や研削を行う際に発生する粉塵の飛散を防止する歯科用防塵袋に関する。
【背景技術】
【０００２】
義歯、義歯床等の歯科補綴物の形状を研磨や研削により微調整する場合、発生する削り屑等の粉塵が飛散しないように所定の容量の集塵機能を有した集塵ボックスを用いる。この集塵ボックスにはその左右に手の挿入口が設けられ、挿入口にラバー材を取り付けて、集塵ボックス内で発生した削り屑等の粉塵が外部に飛散しないように構成されている。【０００３】
このような集塵ボックスは発生した粉塵を吸引することにより確実に粉塵の飛散の防止をすることができる。しかしながら、このような集塵まで行える装置は、技工所等に設置されて使用されるものであって、持ち運びが必要な訪問診療等においては使用ができないという問題があった。近年、高齢化社会にともない訪問診療の要請が多く、訪問先で歯科補綴物の微調整を完了する必要性が高まっている。【０００４】
訪問診療等のために持ち運びが容易な集塵ボックスとして、特許文献１に記載のような折り畳み式集塵ケースが提案されている。これは、上ケース及び下ケースを有し、下ケースの縁部から前面板、左右の壁板を立設して上ケースの縁部に渡すことで所定の作業空間を形成するものである。この集塵ケースでは左右の壁板に手の挿入口が設けられている。【０００５】
また、特許文献２には、一枚の透明なプラスチックシートを折り曲げる及び端部同士を係合する等して組み立てることができる組み立て式防塵ボックスが開示されている。これによれば、軽量且つコンパクトで、組み立てが容易にでき、製造も容易であるとともに安価なものを提供できるとしている。
【先行技術文献】
【特許文献】
【０００６】
【特許文献１】特開２００３−２１０４９１号公報
【特許文献２】特開２０１２−１８８１５０号公報
【発明の概要】
【発明が解決しようとする課題】
【０００７】
しかしながら、特許文献１に記載の折り畳み式集塵ケースは、ある程度の携行性は有しているものの重量が大きく、持ち運ぶには必ずしも十分であるとは言えなかった。また当該集塵ケースは使い捨てるほどに簡易な構成ではないので、使い回しをすることになり、衛生上好ましくない。【０００８】
これに対して特許文献２に記載の組み立て式防塵ボックスは、このような不具合を解消することができる。しかしながら、実際の訪問診療において都度組み立てを行うことは手間がかかり、さらに簡易な手段が求められていた。また、使い捨てとするにはまだコストがかかる構造であった。【０００９】
そこで本発明は上記問題を鑑み、持ち運びが容易で、使用するときの準備も簡単である歯科用防塵袋を提供することを課題とする。
【課題を解決するための手段】
【００１０】
以下、本発明について説明する。ここでは分かり易さのため、図面に付した参照符号を括弧書きで併せて記載するが、本発明はこれに限定されるものではない。【００１１】
本発明は、袋状に形成されており、該袋状を構成する部位として、底部（１１）、底部の一端部に配置される背部（１２）、背部のうち底部が配置される側とは反対側の端部と底部の他端部とを渡して配置され、少なくとも一部に光透過性を有する部材を具備してなる天部（１３）、及び、底部と背部と天部とに囲まれる開口部分を塞ぐように配置される側部（１４）、を有し、側部には袋状の内外を通じる挿入口（１４ａ）が設けられ、底部、背部、天部及び側部は着脱が規制されて接続されており、底部、背部、天部及び側部の少なくとも１つは、底部と天部とが重なるように任意の位置で折り畳み可能に可撓性を有している、歯科用防塵袋（１０）である。【００１２】
上記の歯科用防塵袋（１０）において、底部（１１）、背部（１２）、天部（１３）及び側部（１４）の全部が光を透過可能な材料で形成されていてもよい。【００１３】
上記の歯科用防塵袋（１０）において、底部（１１）、背部（１２）、天部（１３）及び側部（１４）の全部が任意の位置で折り曲げ可能に可撓性を有していてもよい。【００１４】
上記の歯科用防塵袋（１０）において、挿入口（１４ａ）は底部（１１）と天部（１３）との接続部側に寄せられて設けられていてもよい。【００１５】
上記の歯科用防塵袋（１０）において、袋状の内側にはシート（１５）が内包されていてもよい。
【発明の効果】
【００１６】
本発明の歯科用防塵袋によれば、底部と天部とが重なるように薄く折り畳めるので持ち運びが容易であるとともに、袋状を維持しているので折り畳み及び展開において組み立てる等の手間がなく準備が簡単である。
【図面の簡単な説明】
【００１７】
【図１】歯科用防塵袋１０の斜視図である。
【図２】図２（ａ）は図１に矢印ＩＩａで示した方向から見た側面図、図２（ｂ）は図１に矢印ＩＩｂで示した方向から見た平面図である。
【図３】歯科用防塵袋１０を用いる場面を説明する図で、図１と同じ視点によるものである。
【図４】図４（ａ）は、歯科用防塵袋１０を用いる場面を説明する図で図２（ａ）と同じ視点によるもの、図４（ｂ）は、歯科用防塵袋１０を用いる場面を説明する図で図２（ｂ）と同じ視点によるものである。
【図５】図５（ａ）は、歯科用防塵袋１０の折り畳みを説明する図で図２（ａ）と同じ視点によるもの、図５（ｂ）は歯科用防塵袋１０の折り畳みを説明する図で図２（ｂ）と同じ視点によるものである。
【図６】図６（ａ）〜図６（ｄ）は折り畳みの動作を順を追って説明する図である。
【図７】図７（ａ）〜図７（ｃ）は折り畳みの動作を順を追って説明する図である。
【図８】歯科用防塵袋２０の斜視図である。
【発明を実施するための形態】
【００１８】
本発明の上記した作用及び利得は、次に説明する形態から明らかにされる。以下、本発明を図面に示す形態に基づき説明する。ただし本発明はこれら形態に限定されるものではない。
【００１９】
図１は１つの形態にかかる歯科用防塵袋１０が展開された姿勢における斜視図である。図２（ａ）は図１に矢印ＩＩａで示した方向から見た歯科用防塵袋１０の側面図、図２（ｂ）は図１にＩＩｂで示した方向から見た歯科用防塵袋１０の平面図である。図１、図２には表されている方向を明確にするために参照用のｘ、ｙ、ｚの座標軸を表した。また、図１、図２では、ある部位の奥側に配置される部位は破線で表示している。
【００２０】
歯科用防塵袋１０は折り畳み可能で薄く小さくすることができるが、初めに展開した姿勢の歯科用防塵袋１０について説明し、後に折り畳んで縮小させることについて説明する。
【００２１】
歯科用防塵袋１０は、底部１１、背部１２、天部１３、側部１４、及びシート１５を有して構成されている。歯科用防塵袋１０は袋状に形成されており、底部１１、背部１２、天部１３、及び側部１４はシート状であり、手を挿入する部位である挿入口１４ａ以外の部位において隣接する部位同士は一体又は接合されている。従って、作業者は通常の使用方法で歯科用防塵袋１０を使うに際して組み立てや分離をする必要がなく、接続部が着脱できないように規制された構造とされている。詳しくは次の通りである。
【００２２】
歯科用防塵袋１０は、図１、図２からわかるように、矩形の底部１１を有している。底部１１のうち１つの辺となる部位からは、立設するように背部１２が設けられている。背部１２は、天部１３、側部１４を持ち上げた状態で保持し、袋状である歯科用防塵袋１０の内側に空間を形成する。従って、背部１２は当該空間を形成するために必要な大きさ（ｚ方向大きさ）を有している。
本形態では背部１２は、底部１１との接続部が延びる方向（ｙ方向）に延長するように拡張部１２ａが設けられている。これにより展開の姿勢で歯科用防塵袋１０の内側の空間をより広く確保することができる。
【００２３】
背部１２のうち底部１１と接続した側とは反対側となる辺と、底部１１のうち背部１２と接続した側とは反対側となる辺と、を渡すように矩形の天部１３が配置されている。天部１３は作業者がここを通して歯科用防塵袋１０内を観察しつつ作業をする部位である。
【００２４】
これにより底部１１、背部１２、及び天部１３により環状とされており、その側方に形成される２つの開口のそれぞれに、該開口を塞ぐように側部１４が配置されている。従って側部１４は、底部１１、背部１２のうち拡張部１２ａ、及び天部１３にその周囲が接続されている。
【００２５】
また、側部１４には、背部１２とは反対側で、底部１１と天部１３との接続部側に切り欠きが設けられ、ここに挿入口１４ａが形成されている。後で説明するように作業者はここから手を挿入し、歯科用防塵袋１０の内側に配置された歯科補綴物の調整をすることができる。
【００２６】
挿入口１４ａは本形態では側部１４に設けられているがこれに限定されることはなく、可能であれば他の部位に配置されてもよい。ただし、底部１１では落ちた粉塵が外部に流出しやすく、背部１２では手の挿入が困難となる。また天部１３では観察面が小さくなってしまう。かかる観点から挿入口１４ａは側部１４に設けられることが好ましい。
また、側部１４における挿入口１４ａの位置も特に限定されることはないが、作業者の作業の姿勢と腕の位置との関係を鑑みると挿入口１４ａは側部１４のうち底部１１と天部１３との接続部に近い部位に設けられていることが好ましい。
【００２７】
本形態では、底部１１、背部１２、天部１３及び側部１４はいずれもその全部が光透過性を有する樹脂製のシート状部材により形成されている。これにより歯科用防塵袋１０の内側に光が十分差し込むとともに、内側の視認性にも優れるので作業性のよいものとなる。
また、歯科用防塵袋１０は、後で具体的に説明するように折り畳み及び展開を行えるように構成されている。従って底部１１、背部１２、天部１３及び側部１４の少なくとも１つは、後述するように底部１１と天部１３とが重なって折り畳むことができるように可撓性を有する材料であることが好ましい。
以上のように機能できる材料であれば特に限定されることはないが、例えば、ＣＰＰ（無延伸ポリプロピレン）、ＬＤＰＥ（低密度ポリエチレン）、ＭＤＰＥ（中密度ポリエチレン）、ＨＤＰＥ（高密度ポリエチレン）、Ｌ−ＬＤＰＥ（リニヤ―低密度ポリエチレン）、メタロセンポリマー（メタロセンポリエチレン）を用いることができる。またこれらを基材として、ＯＰＰ（二軸延伸ポリプロピレン）、ＰＴ（セロハン）、ＯＮ（延伸ナイロン）、ＰＥＴ（ポリエステル）等を積層した積層体シートを用いてもよい。この中でも、ＯＰＰ（二軸延伸ポリプロピレン）とＣＰＰ（無延伸ポリプロピレン）を貼り合わせたシートが好ましい。これによれば透明性及び光沢性が高く、防湿性にも優れたものとなる。またこれにより低いコストで歯科用防塵袋１０を作製することができる。
【００２８】
シート１５は、歯科用防塵袋１０の内側のうち、底部１１に載置された光の透過率が低いシート状の部材である。本形態では上記のように底部１１が光を透過するので、歯科用防塵袋１０の内側に配置した歯科補綴物が背景とのコントラストの関係で見え難くなる虞がある。これに対して、シート１５の上に歯科補綴物を載置して作業することでコントラストがよくなり見易くなる。
シート１５の大きさは特に限定されることはないが、後に示す折り畳みの姿勢でもシート１５は折り畳まれないような大きさとされることが好ましい。
【００２９】
以上のような歯科用防塵袋１０によれば、底部１１、背部１２、天部１３、及び側部１４で囲まれた袋状である内側に作業のための空間が形成される。側部１４には手や歯科補綴物を挿入するための挿入口が設けられて空間の内外が通じているが、それ以外の部分は一体又は接合により接続して袋状とされており、通常に用いる態様においては、底部１１、背部１２、天部１３、及び側部１４の接続された各辺が分離することはない。従ってここから削り屑等の粉塵が外部に流出することがない。かかる観点から防塵袋としての高い基本的機能を発揮することができる。
【００３０】
また、図２（ａ）からわかるように、歯科用防塵袋１０は側面視で略三角形となるように構成されている。すなわち、底部１１を接地したとき背部１２により、歯科用防塵袋１０内に形成される空間の高さ方向（ｚ方向）大きさを確保するとともに、天部１３は背部１２の側から該背部１２から離れるにつれて底部１１に近づくように傾斜している。これにより作業者の視線が天部１３の法線方向に近くなり、歯科用防塵袋１０の内側の見易さの向上が図られる。
【００３１】
一方、図２（ｂ）からわかるように、拡張部１２ａを設けることにより側部１４がｙ方向の両側に突き出るように形成され、ｙ方向における歯科用防塵袋１０の内側に形成される空間が拡張している。
【００３２】
そしてこのような歯科用防塵袋１０は袋状に形成されるので、袋状にすること自体は公知の技術を用いることが可能であることから、低いコストで作製することができる。
【００３３】
より具体的に歯科用防塵袋１０は例えば次のように用いることができる。図３、及び図４に説明のための図を示した。図３は図１と同じ視点、図４（ａ）は図２（ａ）、図４（ｂ）は図２（ｂ）と同じ視点による図である。
【００３４】
図３、図４（ａ）、図４（ｂ）からわかるように、展開されている歯科用防塵袋１０の内側に形成された空間に挿入口１４ａから歯科補綴物１が入れられ、シート１５の上に置かれる。これに対して作業者は図３、図４（ａ）、図４（ｂ）に矢印Ａで示したように挿入口１４ａから適宜必要な器具とともに手を入れて歯科補綴物１を研磨、研削することができる。
このとき、上記したように作業者が歯科補綴物１を見る際には天部１３を通すので、天部１３が図４（ａ）に表れているように傾斜していることで、天部１３の法線と作業者の視線の方向とが平行に近くなり、歯科補綴物１を見やすい。
その他、当該作業において上記したような効果に基づいて作業者の利便性が高められている。
【００３５】
次に歯科用防塵袋１０の折り畳み及び展開について説明する。初めに折り畳みについて説明する。図５〜図７に説明のための図を示した。図５（ａ）は図２（ａ）、図５（ｂ）は図２（ｂ）と同じ視点による図である。図６（ａ）、図６（ｂ）、図６（ｃ）、図６（ｄ）は折り畳みの動作の一部を順を追って表しており、図５（ａ）と同じ視点による。図７（ａ）、図７（ｂ）、図７（ｃ）は折り畳みの動作の他の一部を順を追って表しており、図５（ｂ）と同じ視点による。
また、図５（ａ）、図５（ｂ）、図６（ａ）〜図６（ｄ）、図７（ａ）〜図７（ｃ）では、折り畳みの際に折り目となる部位に一点鎖線を付した。当該折り目はこの部位を中心に折り畳まれるということを意味し、明確に線状に表れてもよく、特に折り目として明確に線状に表れていなくてもよい。
【００３６】
図５（ａ）、図５（ｂ）からわかるように、背部１２には２つの側部１４の間を渡すように折り目１６が存在する。また、側部１４、底部１１、及び天部１３には、挿入部１４ａのうち背部１２に近い側の端部間を渡すように折り目１７が存在する。
【００３７】
図５（ａ）、図６（ａ）に示された展開の姿勢から、図６（ａ）に矢印Ｂで示したように背部１２の折り目１６を谷として背部１２を歯科用防塵袋１０の内側に向けて押圧する。すると図６（ｂ）に示したように背部１２は折り目１６を谷として折り曲がり、これに伴って図６（ｂ）に矢印Ｃで表したように天部１３が底部１１に近づくように移動（回動）する。
これにより図６（ｃ）、図６（ｄ）のように天部１３と底部１１とが重なり、背部１２は折り目１６を挟んで重なる。
以上により歯科用防塵袋１０は平坦につぶされて薄くなる。
【００３８】
図６（ｄ）に示した姿勢の歯科用防塵袋１０を平面視すると図７（ａ）のように見える。なお、この姿勢のときには折り目１７の他、天部１３及び底部１１と、側部１４との境界に折り目１８が存在する。この折り目１８は歯科用防塵袋１０の展開の姿勢では１つの縁部を形成していた部位である。
【００３９】
図７（ａ）に示した姿勢から、折り目１８を谷として矢印Ｄに示したように側部１４を天部１３に重ねるように折り曲げ、図７（ｂ）に示したように変形させる。さらに図７（ｂ）に矢印Ｅで示したように折り目１７を谷として天部１１が折り目１７を境に重なるように折り曲げる。これにより図７（ｃ）に示したように平面視でも小さく折り畳まれる。
【００４０】
以上からわかるように、歯科用防塵袋１０は非常に薄く、小さく折り畳むことが可能である。従って携行性に優れる。そして折り畳む際には袋状である底部１１、背部１２、天部１３、及び側部１４の接続状態は展開のときと同じであり、これを離したり分解したりする必要がない。これにより、作業が終了した後に粉塵が歯科用防塵袋１０の内部に残存していても粉塵を内包したまま折り畳むことができる。
【００４１】
歯科用防塵袋１０は、その構造の観点からコストを低く抑えて作製することもできるので、用いる材料等を含めて低コストで構成したときには使い捨てとしても十分見合うものとなる。このときには、袋状であることから折り畳んでも粉塵を内包したまま捨てることができ、粉塵にこれ以上触れる必要がなく衛生的である。
【００４２】
一方、作業前等に折り畳んだ姿勢から展開するときには、予め図７（ｃ）のように折り畳んだ姿勢から、上記した順を遡ればよい。このときには挿入口１４ａから手を入れて歯科用防塵袋１０の内側から内面を指で押圧する等して広げて形を整えることができる。
このように展開についても非常に容易に行うことができる。
【００４３】
ここでは折り畳みの形態の１つの例を説明したが、これに限らず他の折り畳みの形態であってもよい。従って底部１１と天部１３とが重なるように折り畳まれれば薄くすることができ、底部１１、背部１２、天部１３及び側部１４はその少なくとも１つにおいてこれが可能であるように任意の位置で折り畳めるように可撓性を有していればよい。
【００４４】
図８には他の形態にかかる歯科用防塵袋２０の外観斜視図を示した。図８は図１に相当する図である。歯科用防塵袋２０は、底部２１、背部２２、天部２３、側部２４、及び不図示のシート１５を備えている。シート１５は上記した歯科用防塵袋１０と同様である。
また、側部２４には側部１４と同様の挿入口２４ａが設けられている。
【００４５】
本形態の歯科用防塵袋２０に含まれる底部２１、背部２２、天部２３、及び側部２４はその形状及び配置については底部１１、背部１２、天部１３、及び側部１４と同様である。これに対して本形態では底部２１、背部２２、及び側部２４はその全部が不織布又は紙により形成されている。一方、天部２３はその一部が不織布又は紙により形成され、残部に光透過性を有するシートからなる透過部２３ａが設けられている。
【００４６】
このように天部の少なくとも一部が透光性を有していれば歯科用防塵袋内を視認することができる。従って透過部以外の部位は透明であっても不透明であってもよく限定されない。ただし上記のように歯科用防塵袋内を明るくする観点から、多くの部位において透明な材料が適用されることが好ましい。
【符号の説明】
【００４７】
１０、２０  歯科用防塵袋
１１、２１  底部
１２、２２  背部
１３、２３  天部
１４、２４  側部
１４ａ、２４ａ  挿入口
１５  シート
２３ａ  透過部
【図１】
0006050480.tif 000002
【図２】
0006050480.tif 000003
【図３】
0006050480.tif 000004
【図４】
0006050480.tif 000005
【図５】
0006050480.tif 000006
【図６】
0006050480.tif 000007
【図７】
0006050480.tif 000008
【図８】
0006050480.tif 000009